【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
第１位置と第２位置との間を移動可能に形成される可動部材と、その可動部材を移動させる駆動力を発生させる駆動装置と、前記可動部材を前記第１位置へ復帰させる付勢力を発生させる付勢手段と、を備える遊技機において、
前記可動部材が、前記第１位置から所定位置までの第１付勢領域に配置される場合に生じる付勢力の変化割合に対して、前記可動部材が、前記第１付勢領域に連結される領域であって前記第１位置から離れて形成される第２付勢領域に配置される場合に生じる付勢力の変化割合が大きくされ、
前記付勢手段は、一方の端部が前記可動部材の移動方向の側面に対向配置され、他方の端部が移動を抑制される付勢部を備え、
前記可動部材は、前記付勢部に対向配置される本体部と、
前記付勢部に対して前記本体部の反対側に配設され、前記本体部の移動方向において前記付勢部と当接可能に構成される当接部と、を備え、
その当接部は、前記可動部材に連結固定され、
前記可動部材は、前記第１付勢領域に配置されると、前記可動部材の移動により前記付勢部に当接され付勢力を与えられ、
前記付勢部の中間部は、前記可動部材が前記第２付勢領域に配置されると、前記当接部に押し付けられることを特徴とする遊技機。
【請求項２】
発光する発光手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、第１位置と第２位置との間を移動可能に形成される可動部材と、その可動部材を移動させる駆動力を発生させる駆動装置と、前記可動部材を前記第１位置へ復帰させる付勢力を発生させる付勢手段と、を備える遊技機において、前記可動部材が、前記第１位置から所定位置までの第１付勢領域に配置される場合に生じる付勢力の変化割合に対して、前記可動部材が、前記第１付勢領域に連結される領域であって前記第１位置から離れて形成される第２付勢領域に配置される場合に生じる付勢力の変化割合が大きくされ、前記付勢手段は、一方の端部が前記可動部材の移動方向の側面に対向配置され、他方の端部が移動を抑制される付勢部を備え、前記可動部材は、前記付勢部に対向配置される本体部と、前記付勢部に対して前記本体部の反対側に配設され、前記本体部の移動方向において前記付勢部と当接可能に構成される当接部と、を備え、その当接部は、前記可動部材に連結固定され、前記可動部材は、前記第１付勢領域に配置されると、前記可動部材の移動により前記付勢部に当接され付勢力を与えられ、前記付勢部の中間部は、前記可動部材が前記第２付勢領域に配置されると、前記当接部に押し付けられる。
【手続補正３】
【補正対象書類名】明細書
【補正対象項目名】０００７
【補正方法】変更
【補正の内容】
【０００７】
請求項２記載の遊技機は、請求項１記載の遊技機において、発光する発光手段を備える。
【手続補正４】
【補正対象書類名】明細書
【補正対象項目名】０００９
【補正方法】変更
【補正の内容】
【０００９】
請求項１記載の遊技機によれば、付勢手段の付勢力を良好にすることができる。
【手続補正５】
【補正対象書類名】明細書
【補正対象項目名】００１０
【補正方法】変更
【補正の内容】
【００１０】
請求項２記載の遊技機によれば、請求項１記載の遊技機の奏する効果に加え、発光手段により演出効果を高めることができる。
【手続補正６】
【補正対象書類名】明細書
【補正対象項目名】０６６９
【補正方法】変更
【補正の内容】
【０６６９】
１０                                            パチンコ機（遊技機）
１３                                            遊技盤
６５                                            第１可変入賞装置（開閉装置）
３１３                                          可動演出部材（盤内役物）
３１４                                          第１アウト口
３１５                                          第２アウト口
３１５ａ                                        案内リブ（方向調整リブ）
３２０                                          左下板部材（下板部）
３２２                                          緩衝リブ
３２４                                          段部
３３０                                          右下板部材（下板部）
３３２                                          緩衝リブ
５１２                                          第１軸部（第１軸）
５４０、６５４０                                伸縮演出装置（可動部材）
５４１                                          本体部材（中間部材の一部）
５４４                                          スライド板（中間部材の一部）
５４５                                          スライドレール（中間部材の一部）
５４１ｂ                                        突起部
５４１ｅ                                        案内締結部（位置決め補助部）
５５０、５５５０、６５５０                      回動アーム部材（アーム部材、ストッパ部材）
５５３                                          異形長孔（挿通部）
５５３ｄ                                        選択壁部（選択領域）
５５４                                          円弧状孔（挿通部）
５５４ａ                                        口先部（溝部）
５５４ｂ                                        第１ストッパ面（挿通部の一部）
５５４ｃ                                        第２ストッパ面（挿通部の一部）
５６０                                          第２駆動装置（駆動装置）
５７０                                          回動クランク部材（クランク部材）
５７４                                          摺動突起部（突起部）
６１０、７６１０                                ベース部材
６１３                                          第１軸支孔（支持部）
６１４                                          第２軸支孔（軸支部）
６２０、４６２０                                演出部材（可動部材）
６２１ａ                                        摺動軸部（突起部）
６３０                                          第１駆動装置（駆動装置）
６４０、２６４０、３６４０、４６４０、７６４０  伝達部材（伝達部材、可動部材）
６４１、２６４１、３６４１                      本体部
６４３                                          摺動孔（挿通部）
６４４                                          当接部
６５０                                          ねじりバネ（付勢手段、弾性バネ）
６５２                                          付勢腕部（付勢部）
６５３ａ                                        屈曲部（第１折曲点）
３６４１ａ                                      傾斜側面（先端拡大領域）
５５５６                                        凹設部（外側窪み部）
７６１３                                        摺動孔（支持部）
７６４３                                        軸支孔（挿通部）
Ｄ                                              余裕部